(57)【特許請求の範囲】
【請求項１】
吸い込み口から浴室乾燥機本体内に空気を流入させ、前記浴室乾燥機本体内に流入した空気を吹き出し口を経て吹き出させる循環ファンと、
前記吸い込み口から前記浴室乾燥機本体内に空気を流入させ、前記浴室乾燥機本体内に流入した空気を排気路を経由して屋外に排出する換気ファンと、
前記循環ファンおよび前記換気ファンの運転を制御する制御部と、
を備えた浴室乾燥機であって、
（ａ）前記排気路の風速を検出するための風速センサを備え、前記制御部が、前記風速センサの検出値に基づいて前記換気ファンの運転を制御して、前記排気路を経由して屋外に排出される空気の通風量を所定の通風量に維持するフィードバック制御を実行するとともに、
（ｂ）前記フィードバック制御の実行時における前記換気ファンへの電気入力をフィードバック制御時入力として記憶する記憶部を備え、前記制御部が、前記フィードバック制御を実行しないときには、前記記憶部に記憶された前記フィードバック制御時入力を前記換気ファンへの入力として、前記換気ファンの運転を行うこと
を特徴とする浴室乾燥機。
【請求項２】
前記換気ファンの運転時における前記風速センサへの通風を規制する通風規制部を備え、
前記制御部が、所定の周期で前記通風規制部による規制を解除して前記フィードバック制御を実行し、前記フィードバック制御を実行した後は、前記通風規制部によって前記風速センサへの通風を規制して、前記フィードバック制御時入力を前記換気ファンへの入力として、前記換気ファンの運転を行うように構成されていること
を特徴とする請求項１記載の浴室乾燥機。
【請求項３】
前記排気路から分流する分流路を備え、前記分流路に前記風速センサが配置されているとともに、
前記分流路を通風可能状態または遮断状態に切り替える開閉体が、前記通風規制部を構成していること
を特徴とする請求項２記載の浴室乾燥機。
【請求項４】
前記風速センサが前記排気路内に位置する状態と、前記風速センサが前記排気路内から後退して前記排気路内に位置しない状態とを切り替える切替部が、前記通風規制部を構成していることを特徴とする請求項２記載の浴室乾燥機。
【請求項５】
前記吸い込み口が、前記浴室乾燥機本体内に流入する埃を捕捉するフィルタを備えており、
前記フィードバック制御の実行中における、前記換気ファンの回転速度が所定の回転速度以上のとき、前記フィルタの清掃が必要である旨の報知を行うように構成されていること
を特徴とする請求項１〜４のいずれかに記載の浴室乾燥機。
【発明の詳細な説明】
【技術分野】
【０００１】
本発明は、浴室乾燥機に関し、詳しくは、換気ファンにより適切な換気を行いながら浴室の乾燥を行うことができるように構成された浴室乾燥機に関する。
【背景技術】
【０００２】
浴室乾燥機には、換気ファンにより適切な換気を行いながら浴室の乾燥を行うようにした構成のものがある。
【０００３】
このような浴室乾燥機の１つとして、特許文献１には、換気ファンを通風作動させるためのファンモータと、そのファンモータへの印加電圧を制御する制御手段とが設けられ、制御手段が、予め設定されたファンモータの目標回転速度とファンモータへの印加電圧との設定関係に基づいて、ファンモータの回転速度が目標回転速度になるように、ファンモータへの印加電圧を制御するように構成し、所望の風量にて換気を行うことができるように構成された風量制御装置を備えた浴室暖房乾燥装置が開示されている。
【０００４】
この特許文献１の風量制御装置および浴室暖房乾燥機は、外気温度検出手段による外気温度に基づいて、設定関係を補正した補正関係を求めるとともに、求めた補正関係に基づいて、換気ファンのファンモータへの印加電圧を制御することで、外気の温度にかかわらず、所望の風量を得ることができるように構成されている。
【先行技術文献】
【特許文献】
【０００５】
【特許文献１】特開２００３−７４９５４号公報
【発明の概要】
【発明が解決しようとする課題】
【０００６】
しかしながら、特許文献１の風量制御装置および浴室暖房乾燥機では、長期の運転によって換気ファンの特性の経時的な変化や、排気路（換気用ダクト）などへの埃の付着などによって、換気ファンによる通風量と所望の風量との間にずれが生じるおそれがあり、改善すべき余地があるのが実情である。
【０００７】
本発明は、上記の課題を解決するものであり、換気ファンの特性の経時的な変化、排気路への埃の付着などが生じたときにも、換気ファンによる通風量と所望の風量との間にずれが生じることがなく、意図する通風量で換気を行いながら乾燥を行うことが可能な浴室乾燥機を提供することを目的とする。
【課題を解決するための手段】
【０００８】
上記の目的を達成するために、本発明の浴室乾燥機は、
吸い込み口から浴室乾燥機本体内に空気を流入させ、前記浴室乾燥機本体内に流入した空気を吹き出し口を経て吹き出させる循環ファンと、
前記吸い込み口から前記浴室乾燥機本体内に空気を流入させ、前記浴室乾燥機本体内に流入した空気を排気路を経由して屋外に排出する換気ファンと、
前記循環ファンおよび前記換気ファンの運転を制御する制御部と、
を備えた浴室乾燥機であって、
（ａ）前記排気路の風速を検出するための風速センサを備え、前記制御部が、前記風速センサの検出値に基づいて前記換気ファンの運転を制御して、前記排気路を経由して屋外に排出される空気の通風量を所定の通風量に維持するフィードバック制御を実行するとともに、
（ｂ）前記フィードバック制御の実行時における前記換気ファンへの電気入力をフィードバック制御時入力として記憶する記憶部を備え、前記制御部が、前記フィードバック制御を実行しないときには、前記記憶部に記憶された前記フィードバック制御時入力を前記換気ファンへの入力として、前記換気ファンの運転を行うこと
を特徴としている。
【０００９】
また、本発明の浴室乾燥機は、
前記換気ファンの運転時における前記風速センサへの通風を規制する通風規制部を備え、
前記制御部が、所定の周期で前記通風規制部による規制を解除して前記フィードバック制御を実行し、前記フィードバック制御を実行した後は、前記通風規制部によって前記風速センサへの通風を規制して、前記フィードバック制御時入力を前記換気ファンへの入力として、前記換気ファンの運転を行うように構成されていることが好ましい。
【００１０】
また、前記排気路から分流する分流路を備え、前記分流路に前記風速センサが配置されているとともに、
前記分流路を通風可能状態または遮断状態に切り替える開閉体が、前記通風規制部を構成していることが好ましい。
【００１１】
また、前記風速センサが前記排気路内に位置する状態と、前記風速センサが前記排気路内から後退して前記排気路内に位置しない状態とを切り替える切替部が、前記通風規制部を構成していることが好ましい。
【００１２】
前記吸い込み口が、前記浴室乾燥機本体内に流入する埃を捕捉するフィルタを備えており、
前記フィードバック制御の実行中における、前記換気ファンの回転速度が所定の回転速度以上のとき、前記フィルタの清掃が必要である旨の報知を行うように構成されていることが好ましい。
【発明の効果】
【００１３】
本発明の浴室乾燥機は、上述のよう構成されており、（ａ）排気路の風速を検出するための風速センサを備え、制御部が、風速センサの検出値に基づいて換気ファンの運転を制御して、排気路を経由して屋外に排出される空気の通風量を所定の通風量に維持するフィードバック制御（風速センサ検出値フィードバック風量制御）を実行する一方で、（ｂ）フィードバック制御の実行時における換気ファンへの電気入力を、フィードバック制御時入力として記憶する記憶部を備え、制御部が、フィードバック制御を実行しないときは、記憶部が記憶するフィードバック制御時入力を換気ファンへの入力として、換気ファンの運転を行うように構成されているので、以下に説明するような作用効果が得られる。
【００１４】
すなわち、風速センサによる検出値が所定の風速を維持するように、風速センサの検出値に基づいて換気ファンへの電気入力（ファンモータに印加する電圧または電流または電力）を制御するフィードバック制御（風速センサ検出値フィードバック風量制御）を実行することで、排気路を経由して屋外に排出される空気の通風量が所定の通風量に維持される。このとき、風速センサの検出値に基づいて換気ファンへの電気入力（ファンモータに印加する電圧または電流または電力）を制御するので、換気ファン特性の経時的な変化や排気路（排気ダクト）などへの埃の付着が発生したときにも、換気ファンによる通風量と所望の風量との間にずれが生じることを抑制、防止して、意図する通風量で換気を行いながら乾燥を行うことが可能になる。
【００１５】
しかも、制御部が、上記フィードバック制御を実行するときの電気入力（ファンモータに印加する電圧または電流または電力）をフィードバック制御時入力として記憶部に記憶しておき、フィードバック制御を実行しないとき、フィードバック制御時入力を換気ファンへの入力（ファンモータに印加する電圧または電流または電力）として、換気ファンの運転を行うようにしているので、風速センサの検出値に依らずとも排気路を経由して屋外に排出される空気の通風量を、略所定の通風量に維持することができるため、浴室乾燥機の使用時間に対する風速センサの使用時間の割合を低く抑えることが可能になり、風速センサへの埃の付着などによる、風速センサの特性の劣化を抑制することが可能になり、信頼性を向上させることができる。
【００１６】
なお、排気路の風速を検出することで、排気路の断面積との関係から、通風量を求めることは周知の技術であり、また、排気路内における所定の位置に配設された風速センサの検出値から、排気路の平均的な風速を求めることも一般的に知られた技術である。
【００１７】
また、換気ファンの運転時における風速センサへの通風を規制する通風規制部を備え、制御部が、所定の周期で通風規制部による規制を解除してフィードバック制御を実行し、フィードバック制御を実行した後は、通風規制部によって風速センサへの通風を規制して、フィードバック制御時入力を換気ファンへの入力として、換気ファンの運転を行うように構成した場合、上記フィードバック制御を実行した後は、風速センサへの通風が規制されるので、風速センサへの埃の付着などによって風速センサの特性が劣化することを抑制して、長期間にわたって信頼性の高い運転を行うことが可能になる。
【００１８】
また、排気路から分流する分流路を備え、分流路には風速センサが配置されているとともに、分流路を通風可能状態または遮断状態に切り替える開閉体が、通風規制部を構成するようにした場合、分流路と開閉体とによって、複雑な構成を必要とせずに通風規制部を構成することが可能になり有意義である。
【００１９】
また、風速センサが排気路内に位置する状態と、風速センサが排気路内から後退して排気路内に位置しない状態とを切り替える切替部により、通風規制部を構成するようにした場合も、複雑な構成を必要としない切替部により、通風規制部を構成することが可能になり有意義である。
【００２０】
また、吸い込み口が、浴室乾燥機本体内に流入する埃を捕捉するフィルタを備えており、フィードバック制御の実行中における、換気ファンの回転速度が所定の回転速度以上のとき、フィルタの清掃が必要である旨の報知を行うようにした場合、簡単な構成でフィルタの清掃が必要である旨を確実に報知することが可能になり、信頼性を向上させることができる。
すなわち、フィードバック制御の実行中における、換気ファンの回転速度が所定の回転速度以上のときは、フィルタに埃が詰まって吸い込み口の通過抵抗が上昇している可能性が高いことから、これを利用することにより、フィルタの清掃が必要である旨の報知を適切に行うことができるようになる。
【図面の簡単な説明】
【００２１】
【図１Ａ】本発明の一実施形態にかかる浴室乾燥機の構成を示す縦断面図であって、通風規制部による風速センサへの通風の規制を解除した状態を示す図である。
【図１Ｂ】本発明の一実施形態にかかる浴室乾燥機の要部構成を示す縦断面図であって、通風規制部により風速センサへの通風を規制している状態を示す図である。
【図２】本発明の一実施形態にかかる浴室乾燥機の内部の配管構成を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器の正面図である。
【図６】本発明の一実施形態にかかる浴室乾燥機が備える浴室用の操作器の正面図である。
【図７】本発明の一実施形態にかかる浴室乾燥機が備える風速センサの周辺を示す図であって、（ａ）は風速センサへの通風が行われる状態、（ｂ）は風速センサへの通風が遮断された状態を示す図である。
【図８】本発明の実施形態の変形例にかかる浴室乾燥機が備える風速センサの周辺を示す図であって、（ａ）は風速センサへの通風が行われる状態、（ｂ）は風速センサへの通風が遮断された状態を示す図である。
【発明を実施するための形態】
【００２２】
以下、本発明の実施形態を示して、その特徴とするところをさらに詳しく説明する。
【００２３】
［実施形態］
この実施形態１にかかる浴室乾燥機は、図１〜３に示すように、ユニットバスなどの浴室２に設置されるミスト機能付浴室暖房乾燥機（以下、単に「浴室乾燥機Ａ」という）として構成されている。
【００２４】
この浴室乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２５】
また、この浴室乾燥機Ａを浴室２に設置するにあたっては、例えば、図３に示すように、浴槽７の上方の、浴室２の天井８に設置される。
【００２６】
浴室乾燥機Ａの本体（浴室乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室乾燥機本体９の下面側に取り付けられている。
【００２７】
また、図１および図２に示すように、浴室乾燥機本体９内には、熱交換器（温風用熱交換器）（加熱部）１３および送風機１４（循環ファン１４ａ，換気ファン１４ｂ）が内装されている。
【００２８】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室乾燥機本体９に配管した暖房用温水管路１５の途中に配置されており、暖房用温水管路１５には給湯暖房機などの熱源機１６（図３）から温水が供給されるように構成されている。
【００２９】
また、図１および図２に示すように、暖房用温水管路１５には温風用熱交換器１３への温水の供給を開閉する熱動弁（暖房用開閉弁）１７が設けられており、暖房用温水管路１５にはこの管路を流れる温水の温度を検出する暖房温水サーミスタＴＨ２が配設されている。
【００３０】
なお、熱源機１６で加熱された温水は、往き配管５１を経由して浴室乾燥機Ａに備える往き配管接続部５２（図１）から浴室乾燥機Ａに送り込まれ、浴室乾燥機Ａに備える温風用熱交換器１３で放熱した後、浴室乾燥機Ａが備える戻り配管接続部６２（図１）から戻り配管６１を経由して熱源機１６へ戻るように、往き配管５１と戻り配管６１とが配設されている。
【００３１】
図１に示すように、この実施形態にかかる浴室乾燥機Ａにおいて、送風機１４は、浴室内空気を循環させる循環ファン１４ａと、浴室内空気を外部へ排出する換気ファン１４ｂとを備えた構成とされている。また、屋外への排気口の手前には、逆流を防止するための逆風止め５０を備えている。
【００３２】
さらに、浴室乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３３】
また、浴室乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００３４】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。
【００３５】
２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
この実施形態の浴室乾燥機Ａにおいては、ミスト発生部１９が浴室乾燥機本体９の上に搭載されているが、ミスト発生部１９を浴室乾燥機本体９の中に収納するようにしてもよい。
【００３６】
ミスト用給水管路２０には、水道水、いわゆる上水が供給されるように構成されており、入口側から順にストレーナ２２、給水電磁弁（吸水開閉弁）２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３７】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３８】
また、浴室乾燥機Ａは、図３に示すように、浴室２外の脱衣所に設けた操作器５や浴室２内に設けた操作器３０にてリモコン操作されるように構成されている。
【００３９】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００４０】
また、図６に示すように、浴室用の操作器３０には、状態表示部４０、ミストサウナスイッチ３４、ミストスイッチ４１、温度設定スイッチ４２、暖房スイッチ３６、涼風スイッチ３７、風向スイッチ３３、ミスト入浴時間計測用のストップウォッチのスタート／ストップスイッチ４３、リセットスイッチ４５、停止スイッチ３９が設けられている。
【００４１】
また、この実施形態にかかる浴室乾燥機Ａにおいては、グリル板１２の吸い込み口１近傍に、吸気の湿度を検知する湿度検出手段（温度センサ）２７（図１、図２）が配設されている。
湿度検出手段２７としては、例えば、ＮＴＣサーミスタなどの感温素子で構成された湿度センサを用いることができる。
【００４２】
なお、湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４３】
また、図４は、浴室乾燥機Ａの制御部Ｂの一例を示す図である。制御部Ｂには、メモリ２８、演算回路２９などが内蔵され、上記操作器５や操作器３０をリモコン操作することで制御部Ｂにて、以下に説明するような制御が行われるように構成されている。
【００４４】
なお、ここでは自動乾燥運転時における、残り運転時間表示機能を備えた浴室乾燥機Ａの乾燥運転について説明する。
【００４５】
乾燥運転を開始するにあたっては、脱衣所用の操作器５の乾燥スイッチ６（図５）を押し操作する。この操作によって、乾燥［エコ］ランプ３５が点灯し、乾燥運転が開始する。
【００４６】
乾燥運転が開始すると、換気ファン１４ｂが作動するとともに、循環ファン１４ａが作動し、循環ファン１４ａによって浴室乾燥機本体９内に取り込まれた空気が、温風用熱交換器（加熱部）１３により加熱される。
【００４７】
そして、乾燥運転開始後、時間Ｔ１（例えば２５分）が経過したかどうかを判定し、この時間Ｔ１が経過していた場合、以下の、湿度検出用循環加熱運転が実行される。
【００４８】
湿度検出用循環加熱運転では、換気ファン１４ｂを停止するとともに、循環ファン１４ａの作動および温風用熱交換器（加熱部）１３による加熱を継続する。
【００４９】
そして、湿度検出用循環加熱運転の実行中に、湿度検出手段２７によって検出された湿度の上昇速度が所定の上昇速度以下であると判定したとき、それまで表示されていなかった、タイマー表示部（時間表示部）３１への、乾燥運転の残時間の表示を開始し、その後、時間の経過とともにタイマー表示部（時間表示部）３１に表示した残時間のカウントダウンを行い、タイマー表示部（時間表示部）３１に表示した残時間がゼロになるまで乾燥運転を継続する。
【００５０】
この実施形態では、湿度検出用循環加熱運転中の換気ファン１４ｂの停止中における、所定期間（例えば７分）の開始時の湿度検出手段２７による検出湿度Ｈ１と、この所定期間（例えば７分）の終了時の湿度検出手段２７による検出湿度Ｈ２を求め、Ｈ２とＨ１との差Ｈ（Ｈ＝Ｈ２−Ｈ１）が所定の判定値以下である場合に、前記上昇速度が所定の上昇速度以下であると判定する。
【００５１】
さらに具体的に説明すると、この実施形態では、検出される空気の絶対湿度Ｈ（＝Ｈ２−Ｈ１）が、
Ｈ＝−０．０７４３×４０×２×ｅｘｐ（−１５）
以下のときに、湿度検出手段２７によって検出された湿度の上昇速度が所定の上昇速度以下であると判定し、タイマー表示部（時間表示部）３１に３０分を表示し、その後、時間の経過とともにタイマー表示部（時間表示部）３１に表示した残時間（３０分）のカウントダウンを行い、タイマー表示部（時間表示部）３１に表示した残時間がゼロになるまで乾燥運転を継続する。
【００５２】
さらに、この実施形態の浴室乾燥機Ａでは、それまで表示されていなかった、タイマー表示部（時間表示部）３１への、乾燥運転の残時間の表示を開始した後に、上記湿度検出用循環加熱運転を実行して、湿度検出手段２７によって検出された湿度の上昇速度が前記所定の上昇速度より大きいと判定したときには、その後、上記湿度検出用循環加熱運転を繰り返し行い、繰り返し行った上記湿度検出用循環加熱運転中において、湿度検出手段２７によって検出された湿度の上昇速度が所定の上昇速度以下であると判定した時点で、タイマー表示部（時間表示部）３１への、乾燥運転の残時間の更新表示を行うようにしている。このように構成することで、例えば、浴室内に、濡れた洗濯物などが追加された場合にも、洗濯物や、浴室などの乾燥が不充分になってしまうことが抑制される。
【００５３】
＜特徴的構成＞
次に、この実施形態にかかる浴室乾燥機Ａの特徴的な構成について説明する。
【００５４】
この実施形態の浴室乾燥機Ａは、風速センサＦＳを備えている。そして、制御部Ｂ（図４）が、風速センサＦＳの検出値に基づいて換気ファン１４ｂの運転を制御して、排気路４７内を経由して屋外に排出される空気の通風量を所定の通風量に維持するフィードバック制御（風速センサ検出値フィードバック風量制御）を実行するように構成されている。
【００５５】
具体的に説明すると、排気路４７を構成する吐出筒４７ａ（図１Ａ、図１Ｂ、図７）を仕切って形成した風速センサ用サブダクト４７ｂ（図１Ａ、図１Ｂ、図７）の内側に、風速を検出するための風速センサＦＳが配置されている（図１Ａ、図１Ｂ、図７）。なお、図１Ａ、図１Ｂに示した吐出筒４７ａは、下流で排気ダクト４７ｃ（図３）に接続され、浴室２内からの排気は、この排気ダクト４７ｃを経て屋外に排出される。したがって、図１Ａ、図１Ｂに示した吐出筒４７ａと、風速センサ用サブダクト４７ｂと、排気ダクト４７ｃとが排気路４７を構成している。
【００５６】
また、浴室乾燥機Ａは、上述のフィードバック制御（風速センサ検出値フィードバック風量制御）の実行時における換気ファン１４ｂへの電気入力（詳しくは、換気ファン１４ｂのファンモータ（この実施形態では、ＤＣブラシレスモータ）に印加する電圧または電流または電力を、フィードバック制御時入力として記憶する記憶部（メモリ）２８（図４）を備えている。
【００５７】
そして、フィードバック制御を実行しないとき、制御部Ｂ（図４）は、上記フィードバック制御時入力を換気ファン１４ｂへの入力（ファンモータに印加する電圧または電流または電力）とするように構成されている。
【００５８】
この実施形態では、風速センサＦＳによる検出値が所定の風速（この実施形態では、例えば毎秒３．５４ｍ）を維持するように、風速センサＦＳの検出値に基づいて換気ファン１４ｂへの電気入力（ファンモータに印加する電圧または電流または電力）を制御するフィードバック制御を実行することで、排気路４７の長さなどに影響されることなく、排気路４７を経由して屋外に排出される空気の通風量が所定の通風量（例えば毎時１００ｍ3）に維持されるように構成されている。
【００５９】
この実施形態の浴室乾燥機Ａにおいては、上述のように、風速センサＦＳの検出値に基づいて換気ファン１４ｂへの電気入力（ファンモータに印加する電圧または電流または電力）を制御するようにしているので、換気ファン１４ｂの特性の経時的な変化や排気路４７への埃の付着などが生じた場合にも、換気ファン１４ｂによる通風量と所望の風量との間にずれが生じることを抑制、防止して、意図する通風量で浴室２内の換気を行いながら乾燥を行うことが可能になる。
【００６０】
しかも、制御部Ｂが、上記フィードバック制御を実行するときの電気入力（ファンモータに印加する電圧または電流または電力）をフィードバック制御時入力として記憶部（メモリ）２８（図４）に記憶しておき、フィードバック制御を実行しないときは、フィードバック制御時入力を換気ファン１４ｂへの入力（ファンモータに印加する電圧または電流または電力）とするようにしているので、風速センサＦＳの検出値に依らなくても排気路４７を経由して屋外に排出される空気の通風量を、略所定の通風量（例えば毎時１００ｍ3）に維持することができる。したがって、風速センサＦＳの使用時間を短縮して、風速センサＦＳへの埃の付着などによって風速センサＦＳの特性の劣化を抑制することが可能になる。
【００６１】
また、図１Ａ、図１Ｂ、図７などに示したこの実施形態の浴室乾燥機Ａについてさらに説明すると、この実施形態の浴室乾燥機Ａにおいては、シャッター用アクチュエータ（シャッター用駆動部）４９ａおよびシャッター４９ｂが通風規制部４９を構成している。
【００６２】
そして、制御部Ｂは、所定の周期（例えば２４時間毎に５分間）で、シャッター用アクチュエータ４９ａによりシャッター４９ｂを駆動して、通風規制部４９による風速センサＦＳへの通風の規制を解除した状態、すなわち、風速センサＦＳが内部に配設された風速センサ用サブダクト４７ｂ内を排気が通流する状態（図１Ａおよび図７（ａ）参照）で、風速センサＦＳの検出値に基づいてフィードバック制御を実行し、フィードバック制御を実行した後は、シャッター用アクチュエータ４９ａによりシャッター４９ｂを駆動して、通風規制部４９によって風速センサＦＳが内部に配設された風速センサ用サブダクト４７ｂへの通風を規制して（図１Ｂ、図７（ｂ）参照）、上記フィードバック制御時入力を換気ファン１４ｂのファンモータへの入力として運転を行うようにしている。
【００６３】
このように、フィードバック制御を実行した後は、換気ファン１４ｂの運転時にも、風速センサＦＳが内部に配設された風速センサ用サブダクト４７ｂへの通風が規制（遮断）されるので、風速センサＦＳへの埃の付着などによる風速センサＦＳの特性の劣化を抑制することが可能になる。
【００６４】
また、この実施形態の構成は、排気路４７を構成する吐出筒４７ａを仕切って、排気路４７（吐出筒４７ａ）の内部に、分流路として風速センサ用サブダクト４７ｂを設けたものであって、分流路である風速センサ用サブダクト４７ｂ内に風速センサＦＳを配置するとともに、分流路である風速センサ用サブダクト４７ｂを、シャッター用アクチュエータ４９ａと、シャッター４９ｂとにより、通風可能状態または遮断状態に切り替えることができるようにした構成と捉えることができる。
そして、この構成においては、上記シャッター４９ｂが、分流路を開閉する、通風規制部の開閉体として機能することになる。
上述のように解釈した場合、複雑な構成を必要としない分流路（風速センサ用サブダクト）４７ｂと開閉体（シャッター）４９ｂによって、容易に通風規制部４９を構成することが可能になり、本発明をより実効あらしめることができて有意義である。
【００６５】
また、風速センサ用サブダクト４７ｂを分流路と考えた場合、図１Ａ、図１Ｂ、図７などに示されているように、分流路（風速センサ用サブダクト）４７ｂが、排気路４７の内部に配設された構成となるが、分流路（風速センサ用サブダクト）は、特に図示しないが、排気路の外側に備えるように構成することも可能である。
【００６６】
なお、上述のような通風規制部（シャッター用アクチュエータ４９ａとシャッター４９ｂ）を備えるようにした構成は、任意の構成であり、通風規制部を備えていない構成とすることも可能である。
【００６７】
また、上記実施形態では、排気路４７（吐出筒４７ａ）の内部に分流路（風速センサ用サブダクト）４７ｂを設けるとともに、シャッター用アクチュエータ４９ａとシャッター４９ｂから通風規制部４９を構成するようにしているが、分流路やシャッター用アクチュエータを用いずに、図８（ａ），（ｂ）に示すように、風速センサＦＳが、排気路４７内に位置する状態（図８（ａ））と、風速センサＦＳが排気路４７内から後退して排気路４７内に位置しない状態（図８（ｂ））とを、切替部（風速センサアクチュエータ）５９により切り替えるようにした構成とすることも可能である。なお、この場合、上述の切替部（風速センサアクチュエータ）５９が通風規制部を構成することになる。
【００６８】
また、この実施形態にかかる浴室乾燥機Ａにおいては、浴室２内の空気を吸い込むための吸い込み口１に、浴室乾燥機本体９内に流入する埃を捕捉するフィルタ６５が配設されている。
【００６９】
フィルタ６５に埃が付着していない状態では、制御部Ｂが上記フィードバック制御を実行して、風速センサＦＳによる検出値が所定の風速（本実施形態では、例えば毎秒３．５４ｍ）を維持した状態における換気ファン１４ｂの回転速度が略１１５０ｒｐｍとなるように構成されている。しかし、フィルタ６５に埃が付着すると、浴室２内の空気が吸い込み口１を通過する際の通過抵抗が増大する。
【００７０】
そして、フィルタ６５に付着する埃の量が増大すると、制御部Ｂがフィードバック制御を実行している場合、風速センサＦＳによる検出値が所定の風速（この実施形態では、例えば毎秒３．５４ｍ）を維持するように換気ファン１４ｂの運転が制御され、換気ファン１４ｂの回転速度が増加する。
【００７１】
そこで、この実施形態にかかる浴室乾燥機Ａでは、換気ファン１４ｂの負荷が大きくなり過ぎないようするために、風速センサＦＳによる検出値が上記所定の風速を維持した状態における、換気ファン１４ｂの回転速度が所定の回転速度（１２５０ｒｐｍ）以上になったとき、フィルタ６５の清掃が必要である旨の報知を行うように構成している。
【００７２】
なお、具体的には、操作器５（図５）に設けられた換気スイッチ３８の上方に備える、強い換気を行っている場合にその状態を表示する強ＬＥＤ３８ａおよび弱い換気を行っている場合にその状態を表示する弱ＬＥＤ３８ｂが交互に点滅することにより、清掃が必要である旨の報知を行うようにしている。
【００７３】
なお、浴室乾燥機Ａの取扱説明書に、「操作器５（図５）に設けられた換気スイッチ３８の上方に備える強ＬＥＤ３８ａおよび弱ＬＥＤ３８ｂが交互に点滅するときには、吸い込み口１に備えるフィルタ６５の清掃が必要である」旨が記載されている。
【００７４】
ただし、報知の態様は上述の態様に限定されるものではなく、音声による「フィルタの清掃が必要である」旨の報知を行うように構成することも可能である。
【００７５】
上述のようにフィードバック制御の実行中における、換気ファン１４ｂの回転速度が所定の回転速度（例えば１２５０ｒｐｍ）以上になったときに、フィルタ６５に埃が詰まって吸い込み口１の通過抵抗が上昇している可能性が高いことを利用して、フィルタ６５の清掃が必要である旨の報知を行うようにした場合、フィルタ６５の詰まりの報知を適切に行うことが可能になり、有意義である。
【００７６】
因みに、この実施形態では、換気ファン１４ｂのファンモータとして、ＤＣブラシレスモータが用いられているが、換気ファン１４ｂのファンモータとして、誘導電動機のような交流モータを用いてもよく、その場合、換気ファン１４ｂのファンモータに印加する交流電圧の周波数や電圧などを可変制御するＶＶＶＦ制御によって、風速センサＦＳによる検出値が所定の風速（この実施形態では、例えば毎秒３．５４ｍ）を維持するように、換気ファン１４ｂのファンモータを制御する方式を採用することが可能である。
【００７７】
本発明はその他の点においても上記実施形態に限定されるものではなく、発明の範囲内において種々の応用、変形を加えることが可能である。
【符号の説明】
【００７８】
１          吸い込み口
２          浴室
３          吹き出し口
４（４ａ，４ｂ）      ミストノズル
５          操作器
９          浴室乾燥機本体
１２        グリル板
１３        温風用熱交換器（加熱部）
１４        送風機
１４ａ      循環ファン
１４ｂ      換気ファン
１６        熱源機
１７        熱動弁
２７        湿度検出手段
２８        記憶部（メモリ）
２９        演算回路
３１        タイマー表示部（時間表示部）
３８        換気スイッチ
３８ａ      強ＬＥＤ
３８ｂ      弱ＬＥＤ
４７        排気路
４７ａ      吐出筒
４７ｂ      風速センサ用サブダクト（分流路）
４７ｃ      排気ダクト
４９        通風規制部
４９ａ      シャッター用アクチュエータ（シャッター用駆動部）
４９ｂ      シャッター
５１        往き配管
５２        往き配管接続部
５９        切替部（風速センサアクチュエータ）
６１        戻り配管
６２        戻り配管接続部
６５        フィルタ
Ａ          浴室乾燥機
Ｂ          制御部
ＦＳ        風速センサ
ＴＨ１      ミスト温度サーミスタ
ＴＨ２      暖房温水サーミスタ
ＴＨ３      浴室温度サーミスタ
【図１Ａ】
0006621674.tif 000002
【図１Ｂ】
0006621674.tif 000003
【図２】
0006621674.tif 000004
【図３】
0006621674.tif 000005
【図４】
0006621674.tif 000006
【図５】
0006621674.tif 000007
【図６】
0006621674.tif 000008
【図７】
0006621674.tif 000009
【図８】
0006621674.tif 000010